(57)【要約】      （修正有）【課題】２つのパネルを自由に固定でき、使用に便利で構造が安定な、パネル連結用の係合具、該係合具を用いる係合構造及び家具を提供する。【解決手段】係合具は、本体１１と、本体の側面に設置される下係合部１２と、本体の上面に設置されるバンプ１３と、バンプの側面に設置される上係合部１４とを含んでおり、下係合部と上係合部とは、何れも弾性部材である。２つのパネルに、それぞれ上係合部と下係合部に合う係合溝を設けてパネルを連結すると、構造が堅固且つ確実であり、外観が簡潔であり、装着が便利であり、作業効率を効果的に向上できる。特に、スチール製パネルの連結固定に適合し、書棚、収納庫等のキャビネット構造を有する家具にも適用できる。【選択図】図２
0003207694.tif 000002
【実用新案登録請求の範囲】
【請求項１】
係合具であって、
本体と、
前記本体の側面に設置される下係合部と、
前記本体の上面に設置されるバンプと、
前記バンプの側面に設置される上係合部と、を含み、
前記下係合部と上係合部とは、何れも弾性部材である
ことを特徴とする係合具。
【請求項２】
前記下係合部は、上へ向けて前記本体の側面と第１の角をなし、
前記上係合部は、下へ向けて前記バンプの側面と第２の角をなし、
前記第１の角と第２の角の角度は、何れも０度よりも大きく、且つ９０度よりも小さく、
垂直方向において、前記上係合部の下端は、前記下係合部の上端より高い
ことを特徴とする請求項１に記載の係合具。
【請求項３】
前記下係合部は、対称的に設置される第１の下係合部と第２の下係合部とを含むことを特徴とする請求項２に記載の係合具。
【請求項４】
前記上係合部は、対称的に設置される第１の上係合部と第２の上係合部とを含むことを特徴とする請求項２に記載の係合具。
【請求項５】
前記本体は、前記本体の上面の周縁から上へ延在する延在部をさらに含むことを特徴とする請求項１に記載の係合具。
【請求項６】
前記延在部は、対称的に設置される第１の延在部と第２の延在部とを含むことを特徴とする請求項５に記載の係合具。
【請求項７】
前記係合具は、一体成形部材であることを特徴とする請求項１〜６のいずれか１項に記載の係合具。
【請求項８】
前記係合具は、エンジニアリングプラスチック部材であることを特徴とする請求項７に記載の係合具。
【請求項９】
第１のパネル、第２のパネル、及び２つのパネル同士間の連結固定に用いられる係合具を含む係合構造において、
前記係合具は、請求項１〜８のいずれか１項に記載の係合具であり、
前記第１のパネルには、前記係合具の下係合部に合わせる第１の係合溝が設置され、
前記第２のパネルには、前記係合具の上係合部に合わせる第２の係合溝が設置される
ことを特徴とする係合構造。
【請求項１０】
前記第１のパネルと第２のパネルとは、何れもスチール製パネルであることを特徴とする請求項９に記載の係合構造。
【請求項１１】
請求項９に記載の係合構造を含むことを特徴とする家具。
【考案の詳細な説明】
【技術分野】
【０００１】
本考案は、家具連結部材の技術分野に属し、具体的には、係合具、及び該係合具を用いる係合構造、並びに家具に関する。
【背景技術】
【０００２】
スチール製家具の設計において、一定の機能性及び構造の安定性を実現するために、溶接又はねじ固定によってスチール製パネルとキャビネットとを連結・固定することは一般的である。
【考案の概要】
【考案が解決しようとする課題】
【０００３】
現在の市場におけるこのようなスチール製パネルの固定構造は、通常にロボット溶接又は手動による溶接で製造されるので、作業員及び環境に一定の影響を与える恐れがある。一方、ねじ固定による構造を採用すると、作業効率が低く、コストも比較的高い。
【課題を解決するための手段】
【０００４】
本考案は、上記のことに鑑みて、使用時に２つのパネルを自由に固定することができ、使用が便利で、構造が安定である、パネル連結に用いられる係合具を提供することを目的としている。
【０００５】
上記の目的を実現するために、本考案に係る係合具は、
本体と、
前記本体の側面に設置される下係合部と、
前記本体の上面に設置されるバンプと、
前記バンプの側面に設置される上係合部と、を含み、
前記下係合部と上係合部とは、何れも弾性部材である。
【０００６】
好ましくは、前記下係合部は、上へ向けて前記本体の側面と第１の角をなし、
前記上係合部は、下へ向けて前記バンプの側面と第２の角をなし、
前記第１の角と第２の角の角度は、何れも０度よりも大きく、且つ９０度よりも小さく、
垂直方向において、前記上係合部の下端は、前記下係合部の上端より高い。
【０００７】
好ましくは、前記下係合部は、対称的に設置される第１の下係合部と第２の下係合部とを含む。
【０００８】
好ましくは、前記上係合部は、対称的に設置される第１の上係合部と第２の上係合部とを含む。
【０００９】
好ましくは、前記本体は、前記本体の上面の周縁から上へ延在する延在部をさらに含む。
【００１０】
好ましくは、前記延在部は、対称的に設置される第１の延在部と第２の延在部とを含む。
【００１１】
好ましくは、前記係合具は、一体成形部材である。
【００１２】
好ましくは、前記係合具は、エンジニアリングプラスチック部材である。
【００１３】
本考案は、第１のパネル、第２のパネル、及び２つのパネル同士間の連結固定に用いられる係合具を含む係合構造を更に提供し、
前記係合具は、上記のような係合具であり、
前記第１のパネルには、前記係合具の下係合部に合わせる第１の係合溝が設置され、
前記第２のパネルには、前記係合具の上係合部に合わせる第２の係合溝が設置される。
【００１４】
好ましくは、前記第１のパネルと第２のパネルとは、何れもスチール製パネルである。
【００１５】
本考案は、上記のような係合構造を含む家具を更に提供する。
【考案の効果】
【００１６】
従来技術に比べて、本考案に係る係合具、該係合具を用いる係合構造及び家具は、少なくとも以下の有益な効果を備える。即ち、該係合具を用いて２つのパネルを連結すると、構造が堅固且つ確実であり、外観が簡潔であり、装着が便利であり、作業効率を効果的に向上でき、特に、スチール製パネルの連結固定に適合し、書棚、収納庫等のキャビネット構造を有する家具にも適用できる。
【図面の簡単な説明】
【００１７】
【図１】本考案の実施例に係る係合具の正面図である。
【図２】本考案の実施例に係る係合具の斜視図である。
【図３】本考案の実施例に係る係合具と、第１のパネル、及び第２のパネルとの連結構造を模式的に示す図である。
【図４】図３におけるＡ部分の拡大図である。
【図５】本考案の実施例に係る係合具と第２のパネルとの連結構造を模式的に示す図である。
【考案を実施するための形態】
【００１８】
以下、図面を参照して例示的な実施例をより全面的に説明する。ただし、例示的な実施例が多種の方式にて実施され得、ここに説明する実施の形態に限らないことは理解されるべきである。これらの実施の形態によって、本考案はより全面的且つ完備となり、当業者に例示的な実施例の構想をより全面的に伝えることはできる。図において、同じ符号は、同一または類似の構造を表し、それらの重複の説明を省略する。
【００１９】
本考案で用いられる位置及び方向を表す用語は、何れも添付図面を例として説明を行うものであるが、必要に応じて、本考案の保護範囲内に含まれる変更を行なってもよい。
【００２０】
図１及び図２に示すように、本考案に係る係合具１は、本体１１、本体１１の側面に設置される下係合部１２、本体１１の上面に設置されるバンプ１３、及びバンプ１３の側面に設置される上係合部１４を含む。
【００２１】
本考案に係る係合具１は、下係合部１２と上係合部１４とが何れも一定の弾性を有する弾性部材である。具体的には、下係合部１２が押圧される際に、下係合部１２は、本体１１の側面へ移動し、下係合部１２が押圧されない際に、下係合部１２は、最初位置まで復元する。上係合部１４が押圧される際に、上係合部１４は、バンプ１３の側面へ移動し、上係合部１４が押圧されない際に、上係合部１４は、最初位置まで復元する。
【００２２】
本考案では、係合具１の下係合部１２と上係合部１４は、弾性部材とされており、係合具１が連結部として２つのパネルを連結・固定する場合、圧力が加えられることによってパネルの係合溝に係合具１を便利に装着でき、連結構造が堅固かつ確実である。
【００２３】
図３、図４及び図５を参照して、上記の係合具１は、連結部として２つのパネル同士間の連結固定に用いられ、係合構造を形成することができ、該係合構造は、第１のパネル２、第２のパネル３、及び２つのパネル同士間の連結固定に用いられる係合具１を含み、第１のパネル２と第２のパネル３が天板又は側板であってもよい、本考案では、それらの類型を限定しなく、比較的好ましい実施例では、第１のパネル２と第２のパネル３の何れもスチール製パネルである。該係合構造は、家具に用いられて２つのパネルを連結することができ、本実施例に係る家具は、収納庫である。
【００２４】
図４及び図５を参照すると、ここで、第１のパネル２には、係合具１の下係合部１２に合わせる第１の係合溝２１が設置され、使用時に、係合具１が押圧されると、弾性を有する下係合部１２は、第１の係合溝２１の辺縁により押圧されて本体１１へ移動すると共に、第１の係合溝２１内に収容され、その後、下係合部１２は、最初位置まで復元すると共に、第１のパネル２の第１の係合溝２１に当接係合される。
【００２５】
第２のパネル３には、係合具１の上係合部１４に合わせる第２の係合溝３１が設置され、使用時に、係合具１が押圧されると、弾性を有する上係合部１４は、第２の係合溝３１の辺縁により押圧されてバンプ１３へ移動すると共に、第２の係合溝３１内に収容され、その後、上係合部１４は、最初位置まで復元すると共に、第２のパネル３の第２の係合溝３１に当接係合される。本体１１及びバンプ１３によって、第１のパネル２と第２のパネル３とは一緒に連結される。本考案は、係合具１、第１のパネル２、及び第２のパネル３の取付順序を限定しない。
【００２６】
本体１１は、縦断面が長方形、正方形、台形等である複数の構造であってもよい。本実施例に係る係合具１の本体１１の構造は、長方体である。
【００２７】
比較的好ましい実施例において、下係合部１２と本体１１の側面とが第１の角をなし、上係合部１４とバンプ１３の側面とが第２の角をなし、垂直方向において、上係合部１４の下端が下係合部１３の上端より高く、即ち、上係合部１４の下端と下係合部１３の上端とが一定の距離を保持する必要があり、該距離がパネルの厚さに応じて設置されてもよい。
【００２８】
係合具１をパネルの係合溝に装着する場合、装着の便利さを図るために、第１の角と第２の角の角度は、何れも０度よりも大きく、且つ９０度よりも小さく、該角度範囲にある下係合部１２と上係合部１４は、装着に一定の案内作用を奏するだけでなく、それぞれ第１の係合溝２１と第２の係合溝３１に収容された後、一定の張力を保持でき、係合溝により良く当接係合できる。
【００２９】
本実施例では、下係合部１２は、本体１１の側面の下部辺縁から上へ延在し、本体１１の側面の下部辺縁全体を取り囲んで上へ延在して円周形の下係合部１２を形成することもでき、本体１１の側面の一部の下部辺縁から上へ延在して複数の下係合部１２を形成することもでき、該複数の下係合部１２が対称的に設置されることが好ましい。対称的に設置されることによって、下係合部１２の左右側の受ける力又は前後側の受ける力は、より均衡となり、連結もより堅固且つ確実となる。本実施例中に係る下係合部１２は、対称的に設置される第１の下係合部と第２の下係合部とを含む。
【００３０】
本実施例において、上係合部１４は、バンプ１３の側面の上辺縁から下へ延在し、下係合部１２の設置に類似するように、それは、バンプ１３の側面の上辺縁全体を取り囲んで下へ延在して円周形の上係合部１４を形成することもでき、バンプ１３の側面の一部の上辺縁から下へ延在する複数の上係合部１４を形成することもでき、該複数の上係合部１４が対称的に設置されることが好ましい。対称的に設置されることによって、上係合部１４の左右側の受ける力又は前後側の受ける力は、より均衡となり、連結もより堅固且つ確実となる。本実施例に係る上係合部１４は、対称的に設置される第１の上係合部と第２の上係合部とを含む。
【００３１】
バンプ１３は、本体１１の上面から上へ延在し、長方体、正方体、円柱体等の複数の構造であってもよい、本実施例では、長方体の構造であり、バンプ１３が本体１１の上面の中心から上へ延在することが好ましく、これにより、係合具１の受ける力は、均衡となる。
【００３２】
比較的好ましい実施例において、本体１１は、本体１１の上面の周縁から上へ延在する延在部、例えば、対称的に設置される第１の延在部１１１と第２の延在部１１２をさらに含んでおり、第２のパネル３には、第１の延在部１１１と第２の延在部１１２とを収容する凹溝３２が設置される。該延在部を設置することによって、上係合部１４が第２の係合溝３１に当接係合されている際に、第２のパネル３の一部は、係合部１４と、第１の延在部１１１、第２の延在部１１２との間の隙間に収容され、前後又は左右に移動し難くなる。第１の延在部１１１、第２の延在部１１２によって、係合具１と第２のパネル３との連結をより堅固にする。
【００３３】
本考案に係る係合具１は、セパレート型構造又は一体成形構造であってもよく、好ましくは、係合具１が一体成形部材である。一体成形部件は、係合具１の全体強度及び確実性の向上に有利である。比較的好ましい実施例において、係合具１は、高強度のエンジニアリングプラスチック部材であり、エンジニアリングプラスチック材質の係合具１を採用すると、比較的高い機械強度、耐熱性、耐食性を有するだけでなく、成形、押出、注射等の複数の成形方法を採用することができ、成形し易い。
【００３４】
本考案に係る係合具は、２つのパネルを連結する場合には、構造が堅固且つ確実であり、外観が簡潔であり、装着が便利であり、作業効率を効果的に向上でき、特に、スチール製パネルの連結固定に適合し、書棚、収納庫等のキャビネット構造を有する家具にも適用できる。
【００３５】
上記のように本考案の実施例を説明及び記載したが、上記の実施例は例示的なものに過ぎず、本考案を限定するものではないと理解すべきである。本考案の原理及び主旨から逸脱しない場合、本考案の範囲内であれば、当業者は、上記の実施例に対し変更、補正、取替及び変形を行うことができる。
【符号の説明】
【００３６】
１：係合具
１１：本体
１１１：第１の延在部
１１２：第２の延在部
１２：下係合部
１３：バンプ
１４：上係合部
２：第１のパネル
２１：第１の係合溝
３：第２のパネル
３１：第２の係合溝
３２：凹溝
【図１】
0003207694.tif 000003
【図２】
0003207694.tif 000004
【図３】
0003207694.tif 000005
【図４】
0003207694.tif 000006
【図５】
0003207694.tif 000007